(57)【要約】所望の１対多サービス受信方式によって、セルにより提供される複数の１対多制御チャネルから特定の１対多制御チャネルを選択する。その選択した１対多制御チャネルで１対多サービスに関する制御情報を受信した後、その制御情報によってその１対多サービスを受信する。前記所望の１対多サービス受信方式は、１つのセルで前記１対多サービスを受信することを含み得ることを特長とする。スケジューリング情報を含む前記制御情報は、Ｌ１／Ｌ２制御チャネルで受信し得る。
2009518994.tif 000002
【特許請求の範囲】
【請求項１】
所望の１対多サービス受信方式によって、セルにより提供される複数の１対多制御チャネルから１つの１対多制御チャネルを選択する段階と、
前記選択した１対多制御チャネルで前記１対多サービスに関する制御情報を受信する段階と、
前記制御情報によって前記１対多サービスを受信する段階と、
を含むことを特徴とする無線通信システムにおける１対多サービス受信方法。
【請求項２】
前記所望の１対多サービス受信方式は、１つのセルで前記１対多サービスを受信することを含むことを特徴とする請求項１に記載の無線通信システムにおける１対多サービス受信方法。
【請求項３】
スケジューリング情報を含む前記制御情報は、Ｌ１／Ｌ２制御チャネルで受信することを特徴とする請求項２に記載の無線通信システムにおける１対多サービス受信方法。
【請求項４】
前記１対多サービスは、ダウンリンク共有チャネルで受信することを特徴とする請求項２に記載の無線通信システムにおける１対多サービス受信方法。
【請求項５】
アップリンクフィードバックに基づく再送信方式を用いる段階をさらに含むことを特徴とする請求項２に記載の無線通信システムにおける１対多サービス受信方法。
【請求項６】
スケジューリング情報を含む前記制御情報は、ｅＮｏｄｅＢから受信することを特徴とする請求項２に記載の無線通信システムにおける１対多サービス受信方法。
【請求項７】
前記所望の１対多サービス受信方式は、複数のセルで前記１対多サービスを受信することを含むことを特徴とする請求項１に記載の無線通信システムにおける１対多サービス受信方法。
【請求項８】
スケジューリング情報を含む前記制御情報は、ＭＢＭＳ制御チャネル（ＭＣＣＨ）で受信することを特徴とする請求項７に記載の無線通信システムにおける１対多サービス受信方法。
【請求項９】
前記１対多サービスは、Ｌ１組み合わせ技術を用いてマルチキャストチャネルで受信することを特徴とする請求項７に記載の無線通信システムにおける１対多サービス受信方法。
【請求項１０】
スケジューリング情報を含む前記制御情報は、センタノードから受信することを特徴とする請求項７に記載の無線通信システムにおける１対多サービス受信方法。
【請求項１１】
１対多サービスが提供されるエリアに応じて、セルにより提供される複数の１対多制御チャネルから１つの１対多制御チャネルを選択する段階と、
前記選択した１対多制御チャネルで前記１対多サービスに関する制御情報を受信する段階と、
前記制御情報によって前記１対多サービスを受信する段階と、
を含むことを特徴とする無線通信システムにおける１対多サービス受信方法。
【請求項１２】
前記１対多サービスが１つのセルに提供されることを特徴とする請求項１１に記載の無線通信システムにおける１対多サービス受信方法。
【請求項１３】
スケジューリング情報を含む前記制御情報は、Ｌ１／Ｌ２制御チャネルで受信することを特徴とする請求項１２に記載の無線通信システムにおける１対多サービス受信方法。
【請求項１４】
前記１対多サービスは、ダウンリンク共有チャネルで受信することを特徴とする請求項１２に記載の無線通信システムにおける１対多サービス受信方法。
【請求項１５】
アップリンクフィードバックに基づく再送信方式を用いる段階をさらに含むことを特徴とする請求項１２に記載の無線通信システムにおける１対多サービス受信方法。
【請求項１６】
スケジューリング情報を含む前記制御情報は、ｅＮｏｄｅＢから受信することを特徴とする請求項１２に記載の無線通信システムにおける１対多サービス受信方法。
【請求項１７】
前記１対多サービスが複数のセルに提供されることを特徴とする請求項１１に記載の無線通信システムにおける１対多サービス受信方法。
【請求項１８】
スケジューリング情報を含む前記制御情報は、ＭＢＭＳ制御チャネル（ＭＣＣＨ）で受信することを特徴とする請求項１７に記載の無線通信システムにおける１対多サービス受信方法。
【請求項１９】
前記１対多サービスは、Ｌ１組み合わせ技術を用いてマルチキャストチャネルで受信することを特徴とする請求項１７に記載の無線通信システムにおける１対多サービス受信方法。
【請求項２０】
スケジューリング情報を含む前記制御情報は、センタノードから受信することを特徴とする請求項１７に記載の無線通信システムにおける１対多サービス受信方法。
【請求項２１】
セルに複数の１対多制御チャネルを提供する段階と、
所望の１対多サービス送信方式によって移動端末により複数の１対多制御チャネルから選択された１つの１対多制御チャネルで、制御情報を前記移動端末に送信する段階と、
前記制御情報によって前記１対多サービスを送信する段階と、
を含むことを特徴とする無線通信システムにおける１対多サービス送信方法。
【請求項２２】
前記所望の１対多サービス送信方式は、１つのセルに前記１対多サービスを送信することを含むことを特徴とする請求項２１に記載の無線通信システムにおける１対多サービス送信方法。
【請求項２３】
スケジューリング情報を含む前記制御情報は、Ｌ１／Ｌ２制御チャネルで送信することを特徴とする請求項２２に記載の無線通信システムにおける１対多サービス送信方法。
【請求項２４】
前記１対多サービスは、ダウンリンク共有チャネルで送信することを特徴とする請求項２２に記載の無線通信システムにおける１対多サービス送信方法。
【請求項２５】
アップリンクフィードバックに基づく再送信方式を用いる段階をさらに含むことを特徴とする請求項２２に記載の無線通信システムにおける１対多サービス送信方法。
【請求項２６】
スケジューリング情報を含む前記制御情報は、ｅＮｏｄｅＢから送信することを特徴とする請求項２２に記載の無線通信システムにおける１対多サービス送信方法。
【請求項２７】
前記所望の１対多サービス送信方式は、複数のセルに前記１対多サービスを送信することを含むことを特徴とする請求項２１に記載の無線通信システムにおける１対多サービス送信方法。
【請求項２８】
スケジューリング情報を含む前記制御情報は、ＭＢＭＳ制御チャネル（ＭＣＣＨ）で送信することを特徴とする請求項２７に記載の無線通信システムにおける１対多サービス送信方法。
【請求項２９】
前記１対多サービスは、Ｌ１組み合わせ技術を用いてマルチキャストチャネルで送信することを特徴とする請求項２７に記載の無線通信システムにおける１対多サービス送信方法。
【請求項３０】
スケジューリング情報を含む前記制御情報は、センタノードから送信することを特徴とする請求項２７に記載の無線通信システムにおける１対多サービス送信方法。
【請求項３１】
セルに複数の１対多制御チャネルを提供する段階と、
１対多サービスが提供されるエリアに応じて移動端末により複数の１対多制御チャネルから選択された１つの１対多制御チャネルで、制御情報を前記移動端末に送信する段階と、
前記制御情報によって前記１対多サービスを送信する段階と、
を含むことを特徴とする無線通信システムにおける１対多サービス送信方法。
【請求項３２】
前記１対多サービスが１つのセルに提供されることを特徴とする請求項３１に記載の無線通信システムにおける１対多サービス送信方法。
【請求項３３】
スケジューリング情報を含む前記制御情報は、Ｌ１／Ｌ２制御チャネルで送信することを特徴とする請求項３２に記載の無線通信システムにおける１対多サービス送信方法。
【請求項３４】
前記１対多サービスは、ダウンリンク共有チャネルで送信することを特徴とする請求項３２に記載の無線通信システムにおける１対多サービス送信方法。
【請求項３５】
アップリンクフィードバックに基づく再送信方式を用いる段階をさらに含むことを特徴とする請求項３２に記載の無線通信システムにおける１対多サービス送信方法。
【請求項３６】
スケジューリング情報を含む前記制御情報は、ｅＮｏｄｅＢから送信することを特徴とする請求項３２に記載の無線通信システムにおける１対多サービス送信方法。
【請求項３７】
前記１対多サービスが複数のセルに提供されることを特徴とする請求項３１に記載の無線通信システムにおける１対多サービス送信方法。
【請求項３８】
スケジューリング情報を含む前記制御情報は、ＭＢＭＳ制御チャネル（ＭＣＣＨ）で送信することを特徴とする請求項３７に記載の無線通信システムにおける１対多サービス送信方法。
【請求項３９】
前記１対多サービスは、Ｌ１組み合わせ技術を用いてマルチキャストチャネルで送信することを特徴とする請求項３７に記載の無線通信システムにおける１対多サービス送信方法。
【請求項４０】
スケジューリング情報を含む前記制御情報は、センタノードから送信することを特徴とする請求項３７に記載の無線通信システムにおける１対多サービス送信方法。
【発明の詳細な説明】
【技術分野】
【０００１】
本明細書は１対多サービス通信に関する。
【背景技術】
【０００２】
図１は移動通信システムのＥ−ＵＭＴＳ（Evolved Universal Mobile Telecommunications System）のネットワーク構造の一例を示す図である。
【０００３】
Ｅ−ＵＭＴＳシステムは、ＵＭＴＳシステムから進化したものであり、これに適用できる基礎標準の準備が３ＧＰＰ組織により行われている。Ｅ−ＵＭＴＳシステムはＬＴＥ（Long Term Evolution）システムに分類される。
【０００４】
図１に示すように、Ｅ−ＵＭＴＳネットワークは、Ｅ−ＵＴＲＡＮ２０とＥＰＣ（Evolved Packet Core）１０とに分けられる。Ｅ−ＵＴＲＡＮ ２０は基地局（ｅＮＢ又はｅＮｏｄｅＢ）２１を含む。アクセスゲートウェイ（Access Gateway; AG）１１は、ユーザトラフィックを処理する部分と制御トラフィックを処理する部分とに分けられる。ユーザトラフィックを処理するＡＧ部分と制御トラフィックを処理するＡＧ部分とは、新たに定義されるインタフェースを介して通信可能である。
【０００５】
１つのｅＮｏｄｅ Ｂ（ｅＮＢ）２１に対して少なくとも１つのセルが存在し、ｅＮｏｄｅＢ間ではユーザトラフィック及び／又は制御トラフィックの伝送のためのインタフェースを使用することができる。
【０００６】
ＥＰＣ １０は、ＡＧ １１、ＵＥのユーザ登録のためのノードなどを含む。また、図１のＵＭＴＳにおいては、Ｅ−ＵＴＲＡＮ２０とＥＰＣ １０とを区分するためのインタフェースを使用することができる。Ｓ１インタフェースは、ｅＮｏｄｅ Ｂ ２１とＡＧ １１との間で複数のノードを接続することができる（すなわち、多対多方式）。ｅＮｏｄｅＢ同士はＸ２インタフェースで接続され、Ｘ２インタフェースは、メッシュネットワーク構造で隣接するｅＮｏｄｅ Ｂ間に常に存在する。
【０００７】
図２は、Ｅ−ＵＴＲＡＮの構造の一例を示す図である。ここで、ｅＮＢは、アクセスゲートウェイ（ＡＧ）のための選択、無線リソース制御（Radio Resource Control; RRC）活性化中のＡＧへのルーティング、ページングメッセージのスケジューリング及び送信、ブロードキャストチャネル（BroadcastChannel; BCCH）情報のスケジューリング及び送信、アップリンク及びダウンリンクの全てにおけるＵＥへの動的リソース割当、ｅＮＢ測定の設定及び提供、無線ベアラ制御、無線アドミッション制御（RadioAdmission Control; RAC）、並びにＬＴＥ＿ＡＣＴＩＶＥ状態での接続移動性制御の機能を実行することができる。
【０００８】
Ｅ−ＵＴＲＡＮにおいて、ＡＧは、ページング発信（paging origination）、ＬＴＥ＿ＩＤＬＥ状態管理、ユーザプレーンの暗号化、ＰＤＣＰ（Packet DataConvergence Protocol）機能のサポート、ＳＡＥ（System Architecture Evolution）ベアラ制御、並びにＮＡＳ（Non-AccessStratum）シグナリングの暗号化及びインテグリティ保護の機能を実行することができる。
【０００９】
図３及び図４は、Ｅ−ＵＴＲＡＮのためのユーザプレーンプロトコルスタック及び制御プレーンプロトコルスタックを示す図である。ここで、プロトコル層は、通信システム技術でよく知られているＯＳＩ（Open System Interconnection）参照モデルの下位３層に基づいて、第１層（Ｌ１）、第２層（Ｌ２）、及び第３層（Ｌ３）に区分することができる。
【００１０】
第１層である物理層は、物理チャネルを利用して上位層に情報送信サービスを提供する。前記物理層は、トランスポートチャネルを介して（上位に位置する）媒体アクセス制御（Medium Access Control; MAC）層に接続され、前記トランスポートチャネルを介して前記ＭＡＣ層と前記物理層間のデータ送信が行われる。異なる物理層間、すなわち送信側物理層と受信側物理層間では、前記物理チャネルを介してデータ送信が行われる。
【００１１】
第２層のＭＡＣ層は、論理チャネルを介して（上位層である）無線リンク制御（Radio Link Control; RLC）層にサービスを提供する。第２層のＲＬＣ層は、高い信頼性でデータ送信をサポートする。ＲＬＣ機能が前記ＭＡＣ層で実現されて該ＭＡＣ層により実行される場合、前記ＲＬＣ層自体が存在しなくてもよいため、図３及び図４において前記ＲＬＣ層は点線で示している。
【００１２】
第２層のＰＤＣＰ層は、ＩＰｖ４やＩＰｖ６などのＩＰ（Internet Protocol）パケットを用いて送信されるデータを相対的に帯域幅の小さい無線インタフェースで効率的に送信できるように、不要な制御情報を減らすヘッダ圧縮機能を実行する。
【００１３】
第３層の最下位に位置するＲＲＣ層は、制御プレーンでのみ定義され、無線ベアラ（Radio Bearer; RB）の設定、再設定、及び解除に関連して論理チャネル、トランスポートチャネル、及び物理チャネルを制御する。ここで、ＲＢとは、端末（ＵＥ）とＵＴＲＡＮ間のデータ送信のために第２層により提供されるサービスを意味する。
【００１４】
図３において、（ネットワーク側のｅＮＢで終了する）ＲＬＣ層及びＭＡＣ層は、スケジューリング、自動再送要求（Automatic Repeat Request; ARQ）、及びハイブリッド自動再送要求（Hybrid AutomaticRepeat Request; HARQ）などの機能を実行することができる。（ネットワーク側のＡＧで終了する）ＰＤＣＰ層は、ヘッダ圧縮、インテグリティ保護、及び暗号化などのユーザプレーンのための機能を実行することができる。
【００１５】
図４において、（ネットワーク側のｅＮＢで終了する）ＲＬＣ層及びＭＡＣ層は、ユーザプレーンと同じ機能を実行する。ここで、（ネットワーク側のｅＮＢで終了する）ＲＲＣ層は、ブロードキャスト、ページング、ＲＲＣ接続管理、無線ベアラ（ＲＢ）制御、移動性機能、並びにＵＥ測定報告及び制御などの機能を実行することができる。（ネットワーク側のａＧＷで終了する）ＰＤＣＰ層は、インテグリティ保護及び暗号化などの制御プレーンのための機能を実行することができる。（ネットワーク側のａＧＷで終了する）ＮＡＳは、ＳＡＥベアラ管理、認証、アイドルモード移動性処理、ＬＴＥ＿ＩＤＬＥ状態でのページング発信、並びにａＧＷとＵＥ間のシグナリング及びユーザプレーンのためのセキュリティ制御などの機能を実行することができる。
【００１６】
ＮＡＳは３つの状態に区分することができる。第１に、ＮＡＳ内にＲＲＣエンティティがないと、ＬＴＥ＿ＤＥＴＡＣＨＥＤ状態であり、第２に、最小限のＵＥ情報の保存中にＲＲＣ接続がないと、ＬＴＥ＿ＩＤＬＥ状態であり、第３に、ＲＲＣ接続が設定されていると、ＬＴＥ＿ＡＣＴＩＶＥ状態である。また、ＲＲＣは、ＲＲＣ＿ＩＤＬＥ及びＲＲＣ＿ＣＯＮＮＥＣＴＥＤの２つの状態に区分することができる。ＲＲＣ＿ＩＤＬＥ状態において、ＵＥは、ＮＡＳにより設定された不連続受信（Discontinuous Reception; DRX）を明示し、システム情報及びページング情報のブロードキャストを受信することができ、トラッキングエリアでＵＥを一意に識別する識別子（ＩＤ）がそのＵＥに割り当てられる。また、ＲＲＣ＿ＩＤＬＥ状態においては、どのＲＲＣコンテキストもｅＮＢに保存されていない。ＲＲＣ＿ＣＯＮＮＥＣＴＥＤ状態においては、ＵＥがＥ−ＵＴＲＡＮＲＲＣ接続を有し、かつＥ−ＵＴＲＡＮ内にコンテキストがあるため、ネットワーク（ｅＮＢ）へのデータ送信及び／又はネットワーク（ｅＮＢ）からのデータ受信が可能になる。また、ＵＥはチャネル品質情報及びフィードバック情報をｅＮＢに報告することができる。ＲＲＣ＿ＣＯＮＮＥＣＴＥＤ状態においては、Ｅ−ＵＴＲＡＮがＵＥの属するセルを知っているため、ネットワークは、ＵＥへのデータ送信及び／又はＵＥからのデータ受信を行うことができ、ＵＥの移動性（ハンドオーバー）を制御することができ、隣接セルのためのセル測定を行うことができる。
【００１７】
ＲＲＣ＿ＩＤＬＥモードにおいて、ＵＥはページングＤＲＸ周期（paging DRX cycle）を明示する。すなわち、ＵＥは全てのＵＥ特定ページングＤＲＸ周期の特定ページング周期（pagingoccasion）毎にページング信号をモニタする。ページング周期はページング信号が送信される時間間隔である。各ＵＥは独自のページング周期を有する。ページングメッセージは同一のトラッキングエリアに属する全てのセルに送信される。ＵＥが１つのトラッキングエリアから他のトラッキングエリアに移動するとき、そのＵＥはネットワークにトラッキングエリアアップデートメッセージを送信してＵＥの位置をアップデートする。
【００１８】
図５は物理チャネルの構造の一例を示す図である。物理チャネルは、ＵＥ層１（Ｌ１）とｅＮＢ層１（Ｌ１）との間でシグナリング及びデータを送信する。図５に示すように、物理チャネルは、そのシグナリング及びデータを、周波数上での少なくとも１つのサブキャリア及び時間上での少なくとも１つのシンボルから構成された１つの無線リソースで送信する（すなわち、６つ又は７つのシンボルが０．５ｍｓの長さを有する１つのサブフレームを構成する）。サブフレームの特定シンボル（例えば、サブフレームの第１シンボル）はＬ１／Ｌ２制御チャネルのために使用できる。Ｌ１／Ｌ２制御チャネルはＬ１／Ｌ２制御情報（シグナリング）を運ぶ。
【００１９】
図６は論理チャネルとトランスポートチャネル間のマッピング関係を示す図である。一般に、トランスポートチャネルはＬ１とＭＡＣ層との間でシグナリング及びデータを送信し、物理チャネルはトランスポートチャネルにマッピングされる。ダウンリンクトランスポートチャネルのタイプとしては、１．システム情報の送信のために使用されるブロードキャストチャネル（ＢＣＨ）、２．ａ）ＨＡＲＱのためのサポート、ｂ）変調、符号化、及び送信電力の変更による動的リンク適応（dynamic link adaptation）のためのサポート、ｃ）セル全体に対するブロードキャストの可能性、ｄ）ビームフォーミングの使用可能性、ｅ）動的リソース割当及び半静的（semi-static）リソース割当の両方のためのサポートの特徴を有するダウンリンク共有チャネル（DownlinkShared Channel; DL-SCH）、３．ＵＥのページングのために使用されるページングチャネル（Paging Channel; PCH）、並びに４．マルチキャスト又はブロードキャストサービスの送信のために使用されるマルチキャストチャネル（MulticastChannel; MCH）がある。また、アップリンクトランスポートチャネルのタイプとしては、１．ａ）ビームフォーミングの使用可能性；（標準に影響を与える可能性は薄い）、ｂ）送信電力の変更による、あるいは変調及び符号化の変更による動的リンク適応のためのサポート、ｃ）ＨＡＲＱのためのサポートの特徴を有するアップリンク共有チャネル（UplinkShared Channel; UL-SCH）、並びに２．セルに対する初期アクセスのために通常使用されるランダムアクセスチャネル（Random AccessChannel; RACH）がある。
【００２０】
一般に、ＭＡＣ層は論理チャネル上にデータ送信サービスを提供する。従って、ＭＡＣ層により提供される様々なタイプのデータ送信サービスのために論理チャネルのタイプが定義される。各論理チャネルのタイプは送信される情報のタイプによって定義される。例えば、論理チャネルは、（制御プレーン情報の送信のための）制御チャネルと（ユーザプレーン情報の送信のための）トラフィックチャネルの２つに区分される。制御チャネルは制御プレーン情報の送信のためにのみ使用される。ＭＡＣにより提供される制御チャネルの例としては、１．システム制御情報をブロードキャストするためのダウンリンクチャネルであるブロードキャスト制御チャネル（Broadcast Control Channel; BCCH）、２．ページング情報を送信するダウンリンクチャネルであるページング制御チャネル（PagingControl Channel; PCCH）（このチャネルはネットワークがＵＥの位置するセルを知らない場合に使用）、３．ＵＥとネットワークとの間にＲＲＣ接続がない場合にＵＥにより使用される共通制御チャネル（CommonControl Channel; CCCH）、４．ネットワークからＵＥへのＭＢＭＳ制御情報の送信のために使用される１対多ダウンリンクチャネルであるマルチキャスト制御チャネル（MulticastControl Channel; MCCH）、及び５．ＵＥとネットワークとの間で専用制御情報を送信する１対１双方向（bi-directional）チャネルである専用制御チャネル（DedicatedControl Channel; DCCH）などがある。ＤＣＣＨはＲＲＣ接続を有するＵＥにより使用される。
【００２１】
トラフィックチャネルはユーザプレーン情報の送信のためにのみ使用される。ＭＡＣにより提供されるトラフィックチャネルの例としては、１．１対１チャネルであり、１つのＵＥに専用であり、ユーザ情報の送信のためのチャネルである専用トラフィックチャネル（Dedicated Traffic Channel; DTCH）、２．１対多ダウンリンクチャネルであり、ネットワークからＵＥへのトラフィックデータの送信のためのチャネルであるマルチキャストトラフィックチャネル（MulticastTraffic Channel; MTCH）などがある。ここで、ＤＴＣＨはアップリンクとダウンリンクの両方に存在する。様々な論理チャネルが異なるトランスポートチャネルにマッピングされる。例えば、アップリンクでは、ＤＣＣＨはＵＬ−ＳＣＨにマッピングされ、ＤＴＣＨはＵＬ−ＳＣＨにマッピングされる。また、ダウンリンクでは、ＢＣＣＨはＢＣＨにマッピングされ、ＰＣＣＨはＰＣＨにマッピングされ、ＤＣＣＨはＤＬ−ＳＣＨにマッピングされ、ＤＴＣＨはＤＬ−ＳＣＨにマッピングされる。
【発明の開示】
【課題を解決するための手段】
【００２２】
本発明者らは従来の１対多サービス通信における少なくとも次の問題を認識した。すなわち、セル特定サービス（cell specific service）及び非セル特定サービス（non-cell specific service）に関する制御情報は、１つの１対多制御チャネル（すなわち、ＭＣＣＨ）により提供されていた。従って、セル特定サービス及び非セル特定サービスのシグナリング及びスケジューリングをサービスの特性に応じて最適化することができなかった。例えば、非セル特定サービスに関する制御情報は、様々なセルにわたって組み合わせることができ、無線リソースを節約することができる。しかし、制御チャネルは、非セル特定サービスだけでなくセル特定サービスに関する制御情報も提供していた。従って、制御チャネルは、組み合わせをサポートできないため、非セル特定サービスに関する制御情報を組み合わせることができなかった。その結果、無線リソースが浪費されていた。このような問題の認識に基づいて、本発明者らはここに説明した特徴及び態様を案出した。
【００２３】
本明細書は無線通信システムにおける１対多サービス受信に関する。
【００２４】
本発明の実施形態のさらなる態様は後述する発明の詳細な説明に記述されるが、一部はその記述内容から明確になるか、又は本発明の実施形態及び技術的特徴を実施することにより理解されるであろう。本発明の実施形態の態様は、特に発明の詳細な説明及び請求の範囲並びに添付図面に開示された構成により実現及び達成される。
【００２５】
本発明の実施形態及び技術的特徴により上記の目的を達成するために、本発明は、所望の１対多サービス受信方式によって、セルにより提供される複数の１対多制御チャネルから１つの１対多制御チャネルを選択する段階と、前記選択した１対多制御チャネルで前記１対多サービスに関する制御情報を受信する段階と、前記制御情報によって前記１対多サービスを受信する段階とを含む、無線通信システムにおける１対多サービス受信方法を提供する。
【００２６】
一態様において、前記所望の１対多サービス受信方式は、１つのセルで前記１対多サービスを受信することを含む。スケジューリング情報を含む前記制御情報は、Ｌ１／Ｌ２制御チャネルで受信できる。前記１対多サービスは、ダウンリンク共有チャネルで受信できる。上記方法は、アップリンクフィードバックに基づく再送信方式を用いる段階をさらに含むことができる。スケジューリング情報を含む前記制御情報は、ｅＮｏｄｅＢから受信できる。
【００２７】
他の態様において、前記所望の１対多サービス受信方式は、複数のセルで前記１対多サービスを受信することを含む。スケジューリング情報を含む前記制御情報は、ＭＢＭＳ制御チャネル（ＭＣＣＨ）で受信できる。前記１対多サービスは、Ｌ１組み合わせ技術を用いてマルチキャストチャネルで受信できる。スケジューリング情報を含む前記制御情報は、センタノードから受信できる。
【００２８】
本発明の他の実施形態において、無線通信システムにおける１対多サービス受信方法は、１対多サービスが提供されるエリアに応じて、セルにより提供される複数の１対多制御チャネルから１つの１対多制御チャネルを選択する段階と、前記選択した１対多制御チャネルで前記１対多サービスに関する制御情報を受信する段階と、前記制御情報によって前記１対多サービスを受信する段階とを含む。
【００２９】
一態様において、前記１対多サービスは１つのセルに提供される。スケジューリング情報を含む前記制御情報は、Ｌ１／Ｌ２制御チャネルで受信できる。前記１対多サービスは、ダウンリンク共有チャネルで受信できる。上記方法は、アップリンクフィードバックに基づく再送信方式を用いる段階をさらに含むことができる。スケジューリング情報を含む前記制御情報は、ｅＮｏｄｅＢから受信できる。
【００３０】
他の態様において、前記１対多サービスは複数のセルに提供される。スケジューリング情報を含む前記制御情報は、ＭＢＭＳ制御チャネル（ＭＣＣＨ）で受信できる。前記１対多サービスは、Ｌ１組み合わせ技術を用いてマルチキャストチャネルで受信できる。スケジューリング情報を含む前記制御情報は、センタノードから受信できる。
【００３１】
本発明のさらに他の実施形態において、無線通信システムにおける１対多サービス送信方法は、セルに複数の１対多制御チャネルを提供する段階と、所望の１対多サービス送信方式によって移動端末により複数の１対多制御チャネルから選択された１つの１対多制御チャネルで、制御情報を前記移動端末に送信する段階と、前記制御情報によって前記１対多サービスを送信する段階とを含む。
【００３２】
一態様において、前記所望の１対多サービス送信方式は、１つのセルに前記１対多サービスを送信することを含む。スケジューリング情報を含む前記制御情報は、Ｌ１／Ｌ２制御チャネルで送信できる。
【００３３】
前記１対多サービスは、ダウンリンク共有チャネルで送信できる。上記方法は、アップリンクフィードバックに基づく再送信方式を用いる段階をさらに含むことができる。スケジューリング情報を含む前記制御情報は、ｅＮｏｄｅＢから送信できる。
【００３４】
他の態様において、前記所望の１対多サービス送信方式は、複数のセルに前記１対多サービスを送信することを含む。スケジューリング情報を含む前記制御情報は、ＭＢＭＳ制御チャネル（ＭＣＣＨ）で送信できる。前記１対多サービスは、Ｌ１組み合わせ技術を用いてマルチキャストチャネルで送信できる。スケジューリング情報を含む前記制御情報は、センタノードから送信できる。
【００３５】
本発明のさらに他の実施形態において、無線通信システムにおける１対多サービス送信方法は、セルに複数の１対多制御チャネルを提供する段階と、１対多サービスが提供されるエリアに応じて移動端末により複数の１対多制御チャネルから選択された１つの１対多制御チャネルで、制御情報を前記移動端末に送信する段階と、前記制御情報によって前記１対多サービスを送信する段階とを含む。
【００３６】
一態様において、前記１対多サービスは１つのセルに提供される。スケジューリング情報を含む前記制御情報は、Ｌ１／Ｌ２制御チャネルで送信できる。前記１対多サービスは、ダウンリンク共有チャネルで送信できる。上記方法は、アップリンクフィードバックに基づく再送信方式を用いる段階をさらに含むことができる。スケジューリング情報を含む前記制御情報は、ｅＮｏｄｅＢから送信できる。
【００３７】
他の態様において、前記１対多サービスは複数のセルに提供される。スケジューリング情報を含む前記制御情報は、ＭＢＭＳ制御チャネル（ＭＣＣＨ）で送信できる。前記１対多サービスは、Ｌ１組み合わせ技術を用いてマルチキャストチャネルで送信できる。スケジューリング情報を含む前記制御情報は、センタノードから送信できる。
【００３８】
本発明の前述した一般的な記載及び後述する詳細な記載は例示的なものであり、請求の範囲のさらなる説明を提供するためのものである。
【００３９】
発明の理解を容易にするために添付され、本明細書の一部を構成する図面は、本発明の多様な実施形態を示し、明細書と共に本発明の原理を説明する。
【発明を実施するための最良の形態】
【００４０】
本明細書は無線通信システムにおける１対多サービス通信に関する。
【００４１】
一実施形態によれば、マルチキャスト／ブロードキャスト送信のためのサービスシナリオは、セル特定コンテンツ及びセルグループコンテンツの２つのタイプがある。セル特定コンテンツは、シングルセル送信方式で運ばれる特定のセルに対するメッセージ分配（message distribution）などのセルブロードキャストサービスを含む。セルグループコンテンツは、マルチセル送信方式で運ばれるテレビ放送などの複数のセルに対するブロードキャストサービスを含む。
【００４２】
一実施形態によれば、マルチセル送信とシングルセル送信は、スケジューリング及び組み合わせ（combining）に関しては、管理方式が異なる。シングルセル送信はｅＮｏｄｅ Ｂによりスケジューリングされ、マルチセル送信はａＧＷなどのセンタノードによりスケジューリングされる。また、シングルセル送信はダウンリンク共有チャネル（ＤＬ−ＳＣＨ）で提供され、マルチセル送信はＬ１組み合わせが可能なマルチキャストチャネル（ＭＣＨ）などの異なるチャネルで提供される。しかしながら、シングルセル送信は、ＤＬ−ＳＣＨの代わりにＭＣＨで提供することもできる。
【００４３】
マルチセル送信は、Ｌ１組み合わせ技術を用いることができる。従って、センタノードはネットワークでマルチセル送信のソースとして機能することができる。この場合、同じサービスが送信されるセルを含む１つのセルグループに全般的に同じサービス送信が提供される。
【００４４】
それに対し、シングルセル送信は、１つのセル又は１つのｅＮｏｄｅＢのみを担当するため、複数のｅＮｏｄｅ Ｂにわたって組み合わせることができない。しかしながら、ネットワークが組み合わせをサポートする場合、シングルセル送信は、同一のｅＮｏｄｅＢ内で組み合わせることができる。
【００４５】
ａＧＷなどのセンタノードはマルチセル送信のソースとなる。また、ａＧＷは、セルグループのためにマルチセル送信をスケジューリングする。ａＧＷは、セルグループにスケジューリングを適用するために、マルチセル送信に半静的なスケジューリングを適用できる。スケジューリング情報は、ＭＢＭＳトラフィックチャネル（MBMS Traffic Channel; MTCH）を運ぶ同一の物理チャネルにマッピングされるＭＢＭＳスケジューリングチャネル（MBMSScheduling Channel; MSCH）などのＭＢＭＳ制御チャネル（MBMS Control Channel）上の帯域内シグナリングにより提供される。
【００４６】
シングルセル送信のために、ａＧＷの代わりに、ｅＮｏｄｅＢが、ユニキャスト及び他の共有チャネルのスケジューリングを考慮して、シングルセル送信を動的にスケジューリングする。ｅＮｏｄｅ Ｂは、まず、チャネル品質報告に応じてユニキャストデータをスケジューリングし、次に、ユニキャストデータのためにスケジューリングされていないダウンリンクリソースによりシングルセル送信をスケジューリングする。シングルセル送信のスケジューリング情報はＬ１／Ｌ２制御情報により提供される。Ｌ１／Ｌ２制御情報は、ＭＢＭＳサービス識別子（MBMS service identity）及び端末識別子（UE identity）を含む。
【００４７】
ＤＬ−ＳＣＨ上のシングルセル送信は、マルチキャストサービスを受信する比較的少数のユーザに対し、適応変調符号化（Adaptive Modulation and Coding; AMC）及びＨＡＲＱ方式をサポートすることができる。ｅＮｏｄｅ ＢでＡＲＱ機能を提供するＡＲＱ層は、同一のＭＢＭＳパケット又は同一のテキスト／マルチメディアメッセージの送信を繰り返すことができる。従って、ＵＥは、１つのパケット又はメッセージを損失すると、後でその損失したパケット又はメッセージを取得することができる。
【００４８】
特定時間間隔（例えば、少なくとも１つの送信時間間隔（Transmission Time Interval; TTI））に対するＬ１／Ｌ２制御チャネル上のスケジューリング情報は、その時間間隔内のＭＢＭＳサービス送信の短期（short-term）スケジューリング情報を示す。従って、ＵＥは、特定時間間隔でＬ１／Ｌ２制御チャネルを受信して受信を希望するＭＢＭＳサービス送信の短期スケジューリング情報を取得すると、受信した短期スケジューリング情報が示すダウンリンクリソース（例えば、時間／周波数／コード）を受信することにより、その時間間隔でＭＢＭＳサービス送信のためのＭＢＭＳトラフィック又は制御情報を受信する。
【００４９】
さらに、ＵＥは、ＭＢＭＳサービス送信に関する長期（long-term）スケジューリング情報をセルから受信することができる。前記長期スケジューリング情報は、ＭＢＭＳサービス送信がいつ可能であるかを示す。従って、ＵＥは、ＭＢＭＳサービス送信の短期スケジューリング情報を取得するために、受信した長期スケジューリング情報が示す時間間隔でＬ１／Ｌ２制御チャネルを受信する。
【００５０】
本発明の一実施形態によれば、センタノード（ａＧＷ）は、マルチセル送信に関する情報（例えば、スケジューリング／組み合わせに関する情報）をｅＮｏｄｅＢに送信することにより、マルチセル送信を制御する。その後、ｅＮｏｄｅ Ｂは、ａＧＷから受信した制御情報の一部をマルチキャスト制御チャネル（ＭＣＣＨ）又はＭＢＭＳスケジューリングチャネル（ＭＳＣＨ）で送信する。従って、ａＧＷにはＲＲＣ層が存在しない。ｅＮｏｄｅＢにあるＲＲＣ層は、ａＧＷから受信した制御情報でマルチキャスト／ブロードキャスト送信を制御する。
【００５１】
ＰＤＣＰ層はＭＢＭＳサービスのヘッダ圧縮を行う。ＭＢＭＳ送信のためのＰＤＣＰ層はセンタノード（ａＧＷ）に位置する。また、１つのサービスのためのセルグループ毎に１つのＰＤＣＰエンティティが存在し、そのセルグループはａＧＷにより管理される。
【００５２】
ＭＢＭＳサービスのためのＤＬ−ＳＣＨは、ＭＢＭＳ送信に対してＡＣＫ／ＮＡＣＫ及びＣＱＩ報告を適用しない。また、ＭＢＭＳ及び専用サービスの同一のＤＬ−ＳＣＨに対する多重化が許容されないであろう。しかし、ＭＡＣ層はＭＢＭＳのためのＡＲＱ機能をサポートすることができる。この場合、ＡＲＱ又はＨＡＲＱ方式は、ＵＥからＡＣＫ／ＮＡＣＫを受信することなく、固定された方式で適用できる。ＡＲＱ又はＨＡＲＱのための再送信の数は固定（例えば、２回又は３回）されており、シグナリングの長さを短くするために、ＤＬ−ＳＣＨによる再送信は同時性（synchronous）を有する。このような観点から、ＭＢＭＳのためのＤＬ−ＳＣＨは、専用サービスのためのＤＬ−ＳＣＨとは異なる。
【００５３】
本発明の一実施形態によれば、マルチキャスト／ブロードキャストサービスは特定セル情報を含む。セルが異なる場合、サービス情報、無線ベアラ（ＲＢ）情報、及びスケジューリング情報などのＭＢＭＳ制御情報は、様々なセルで異なる。従って、ＭＣＣＨは、特定セルに関するＭＢＭＳ制御情報を送信できるように、各セルのために設定される。
【００５４】
ＭＣＣＨは、セルで使用可能な全てのサービスのリスト、並びに各サービスのためのＤＬ−ＳＣＨ及びマルチキャストチャネル（ＭＣＨ）での１対多無線ベアラ（point-to-multipoint radio bearer; PTM RB）に関する情報などのサービス情報を提供する。ＭＣＣＨ情報に基づいて、ＵＥは、所望のサービスのためにＤＬ−ＳＣＨでのＰＴＭＲＢ又はＭＣＨでのＰＴＭ ＲＢをどのように設定（構成）すべきかが分かる。
【００５５】
ＭＣＣＨは、ブロードキャストチャネル（ＢＣＨ）、ＭＣＨ、又はＤＬ−ＳＣＨにマッピングすることができる。ＭＣＣＨがＢＣＨにマッピングされる場合、ＭＣＣＨ上のＭＢＭＳ制御情報は、ブロードキャスト制御チャネル（ＢＣＣＨ）上でシステム情報として繰り返され、異なるＭＣＣＨ情報はＢＣＨ上でいくつかのシステム情報ブロック（System Information Blocks; SIB）とみなされる。この場合、ＢＣＨは、任意のリソースブロックに柔軟に割り当てることができる。ＢＣＨ上での割当の柔軟性がない場合、ＭＣＣＨはＤＬ−ＳＣＨにマッピングすることができる。
【００５６】
マルチセル送信のために、ネットワークは、ＭＢＭＳサービスの半静的なスケジューリングをＭＣＨ上の帯域内シグナリングにより送信する。帯域内シグナリングは、ソフト組み合わせされるので、ＵＥは、同一のスケジューリング情報を送信する複数のセルからの帯域内シグナリングを組み合わせることができる。ＭＳＣＨは帯域内シグナリングのために使用され、ここで、ＭＳＣＨはＭＣＨにマッピングされる。ＭＳＣＨ上の帯域内シグナリングは、ＭＢＭＳトラフィックの時間／周波数の割当に関する情報、並びに変調及び符号化セット（Modulation and Coding Set; MCS）に関する情報を含む。ＭＣＳは、ＭＢＭＳ送信のために使用された変調／符号化方式のタイプを示す。
【００５７】
シングルセル送信のために、ＭＳＣＨの代わりにＬ１／Ｌ２制御情報が使用される。Ｌ１／Ｌ２制御情報は、マルチキャスト／ブロードキャストサービスのシングルセル送信のためのＤＬ−ＳＣＨに対するＵＥの不連続受信（ＤＲＸ）を制御することもできる。ここで、ＵＥは特定期間に具体的な時間間隔でＬ１／Ｌ２制御情報をモニタする。ＵＥは、Ｌ１／Ｌ２制御情報に含まれる（そのＵＥが所望するサービスの）サービス識別子を確認すると、Ｌ１／Ｌ２制御情報に含まれるリソース割当によってＭＢＭＳトラフィックデータをＤＬ−ＳＣＨで受信する。
【００５８】
本発明の一実施形態によれば、１つのセルの周波数帯域が２０Ｍｈｚである場合、ＭＢＭＳサービスを前記セルに提供する方法として、下位の１０ Ｍｈｚでマルチキャスト／ブロードキャストサービスを提供し、上位の１０ Ｍｈｚでユニキャストサービスを提供することができる。また、ＭＢＭＳサービスを前記セルに提供する方法として、周波数帯域の中央の１０Ｍｈｚ部分でマルチキャスト／ブロードキャストサービスを提供し、その中央の１０ Ｍｈｚ部分の外側の周波数帯域部分でユニキャストサービスを提供することができる。
【００５９】
従って、セル帯域幅（例えば、２０ Ｍｈｚ）が最小ＵＥ帯域幅（例えば、１０Ｍｈｚ）より大きい場合、ＵＥは、ｅＮｏｄｅ Ｂにマルチキャスト／ブロードキャストサービスの受信又は受信希望を指示することができるが、これは、ｅＮｏｄｅ ＢはＵＥがマルチキャスト／ブロードキャストサービスを受信しているか、又は受信を希望しているかが分からないためである。ＵＥ指示を受信した後、ｅＮｏｄｅＢは、ユニキャストサービスをマルチキャスト／ブロードキャストサービスが送信される１０ Ｍｈｚに移すことができる。これは、ＵＥがマルチキャスト／ブロードキャストサービス及びユニキャストサービスを全て受信する上で助けとなる。
【００６０】
しかし、ｅＮｏｄｅ Ｂのリソース状態のため、ｅＮｏｄｅＢがユニキャストサービスをマルチキャスト／ブロードキャストサービスが送信される１０ Ｍｈｚに移せない場合もある。従って、ｅＮｏｄｅ Ｂは、ＵＥが両サービスを共に受信できるように助けることができない。この場合、ＵＥは、ユニキャストサービス及びマルチキャスト／ブロードキャストサービスから受信するサービスを適切に選択しなければならない。
【００６１】
本発明の一実施形態によれば、ＵＥ能力（capability）は、ＵＥとｅＮｏｄｅ Ｂ間のシグナリングにより動的にアップデートされる。ｅＮｏｄｅ ＢはＵＥが受信しようとするマルチキャスト／ブロードキャストサービスが分からないため、ＵＥは、ブロードキャストチャネルが占めるリソースに基づいて、使用可能なプロセス及び受信リソース（processingand reception resource）を計算する。その後、ＵＥは、計算されたプロセス及び受信リソースに関する情報をｅＮｏｄｅ Ｂに報告する。ＵＥとｅＮｏｄｅＢのスケジューラとの間で交換される情報は、サブキャリアの数及びユニキャストサービスのために使用されるプロセスを含む。
【００６２】
図７は本発明の一実施形態による無線通信システムにおける１対多サービス受信方法を示す図である。図７において、ＭＢＭＳサービスを具体的に言及しているが、ここに説明される特徴はどのタイプの１対多通信サービスにも適用可能である。
【００６３】
図７に示すように、ＵＥは、関心のあるＭＢＭＳサービスに関するエリア情報を取得する（Ｓ１００）。前記ＭＢＭＳサービスは、シングルセル送信又はマルチセル送信により提供できる。その後、前記ＵＥは、ｅＮｏｄｅＢにより提供された情報に基づいて、関心のあるＭＢＭＳサービスに関する制御情報を提供するＭＣＣＨを判断する（Ｓ１１０）。一態様において、前記ＵＥは、所望のＭＢＭＳサービス受信方式によって（すなわち、シングルセル送信によるＭＢＭＳサービスの受信を希望するか、マルチセル送信によるＭＢＭＳサービスの受信を希望するかによって）ＭＣＣＨを選択する。他の態様において、前記ＵＥは、ＭＢＭＳサービスが提供されるエリアに応じてＭＣＣＨを選択する。適切なＭＣＣＨを選択した後、前記ＵＥは、関心のあるＭＢＭＳサービスに関する制御情報を前記適切なＭＣＣＨで受信する（Ｓ１２０）。
【００６４】
従って、ＵＥが関心のあるＭＢＭＳサービスを受信するための方法は、そのＭＢＭＳサービスのタイプによって異なる（Ｓ１３０）。ＭＢＭＳサービスがシングルセル送信サービスである場合、前記ＵＥは、前記ｅＮｏｄｅＢにより提供されるＭＢＭＳサービスのためのスケジューリング情報を、Ｌ１／Ｌ２制御チャネルで受信する（Ｓ１４０）。その後、前記ＵＥは、前記ｅＮｏｄｅ Ｂにより提供されたスケジューリング情報によって、そのＭＢＭＳサービスを１つのセルからＭＴＣＨで受信する（Ｓ１５０）。
【００６５】
それに対し、ＭＢＭＳサービスがマルチセル送信サービスである場合、前記ＵＥは、ａＧＷにより提供されるＭＢＭＳサービスのためのスケジューリング情報を、ＭＢＭＳ制御チャネルで受信する（Ｓ１６０）。その後、前記ＵＥは、前記ａＧＷにより提供されたスケジューリング情報によって、そのＭＢＭＳサービスを複数のセルからＭＴＣＨで受信する（Ｓ１７０）。
【００６６】
前記実施形態に記載されている特徴の応用に関し、１対多サービス通信をサポートする、ＬＴＥシステムの１タイプであるＥ−ＵＭＴＳシステムなどの様々な無線通信技術に前記特徴を応用できることは明らかに理解できるであろう。
【００６７】
本発明は、移動通信に関連して説明されたが、ＰＤＡや無線通信能力を備えたラップトップコンピュータのような移動装置を使用する無線通信システムでも利用できる。また、本発明を説明するために使用された特定用語は本発明の範囲をＵＭＴＳのような特定タイプの無線通信システムに限定するものではない。さらに、本発明は、例えばＴＤＭＡ、ＣＤＭＡ、ＦＤＭＡ、ＷＣＤＭＡなどの様々なエアインタフェース及び／又は物理層を使用する他の無線通信システムにも適用できる。
【００６８】
本発明の好ましい実施形態は、ソフトウェア、ファームウェア、ハードウェア、又はこれらの組み合わせを生産するための標準プログラム及び／又はエンジニアリング技術を用いて方法、装置、又は製造物として実現できる。ここで、「製造物」という用語は、ハードウェアロジック（例えば、集積回路チップ、ＦＰＧＡ（Field Programmable Gate Array）、ＡＳＩＣ（Application Specific IntegratedCircuit）など）、又はコンピュータ可読媒体（例えば、磁気記録媒体（例えば、ハードディスクドライブ、フロッピー（登録商標）ディスク、テープなど）、光記録装置（ＣＤ−ＲＯＭ、光ディスクなど）、揮発性及び不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど））において実行されるコードやロジックを示す。
【００６９】
前記コンピュータ可読媒体でのコードはプロセッサによりアクセス及び実行される。本発明の好ましい実施形態で実現されるコードは、伝送媒体を通じて、又はネットワーク上のファイルサーバからアクセスすることもできる。その場合、前記コードが実現される製造物は、ネットワーク転送ライン、無線伝送媒体、空中を伝播する信号、無線波、赤外線信号などの伝送媒体を含む。もちろん、当該技術分野における通常の知識を有する者であれば、本発明の範囲内でその構成の多様な変更が可能であり、前記製造物が公知の情報伝送媒体も含むという点を理解できるであろう。
【００７０】
前述した実施形態と利点は単なる例示にすぎず、本発明を制限するものではない。本発明は、他のタイプの装置にも容易に適用できる。本発明の詳細な説明は単なる説明の便宜のためのものであり、請求の範囲を制限するものではない。当該技術分野における通常の知識を有する者であればこれらの多様な代替、変更、変形が可能であることを理解できるであろう。請求の範囲におけるミーンズプラスファンクションクレーム(means-plus-function clauses)は、その説明された機能を実行するものとしてここに記載された構成（structure）を含み、構造的同等物及び均等な構造をも含む。
【図面の簡単な説明】
【００７１】
【図１】Ｅ−ＵＭＴＳのネットワーク構造の一例を示す図である。
【図２】Ｅ−ＵＴＲＡＮの構造の一例を示す図である。
【図３】Ｅ−ＵＴＲＡＮのユーザプレーンプロトコルスタックの一例を示す図である。
【図４】Ｅ−ＵＴＲＡＮの制御プレーンプロトコルスタックの一例を示す図である。
【図５】物理チャネルの構造の一例を示す図である。
【図６】論理チャネルとトランスポートチャネル間のマッピング関係を示す図である。
【図７】無線通信システムにおける１対多サービス受信方法の一例を示す図である。
【図１】
2009518994.tif 000003
【図２】
2009518994.tif 000004
【図３】
2009518994.tif 000005
【図４】
2009518994.tif 000006
【図５】
2009518994.tif 000007
【図６】
2009518994.tif 000008
【図７】
2009518994.tif 000009
【国際調査報告】
2009518994.tif 000010
2009518994.tif 000011
2009518994.tif 000012